(57)【特許請求の範囲】
【請求項１】
室内空間をキッチン側とダイニング側とに仕切るように配置される対面式のキッチン台であって、
キッチン側に配設したシンクの後方には食器洗浄機が配置されるとともに、該食器洗浄機における物品の出し入れ口が、前記キッチン台におけるキッチン側を向く面とダイニング側を向く面との間に配置される側面に設けられている、ことを特徴とする食器洗浄機を備えたキッチン台。
【請求項２】
室内空間をキッチン側とダイニング側とに仕切るように配置される対面式のキッチン台であって、
該キッチン台の側面側に配設したシンクの下方には食器洗浄機が配置されるとともに、該食器洗浄機における物品の出し入れ口が、前記キッチン台のシンクを配設した側面とダイニング側を向く面とが隣接する角部の近傍位置に設けられている、ことを特徴とする食器洗浄機を備えたキッチン台。
【請求項３】
室内空間をキッチン側とダイニング側とに仕切るように配置される対面式のキッチン台であって、
該キッチン台に配設したシンクの下方に食器洗浄機が配置されるとともに、該食器洗浄機における物品の出し入れ口が、前記キッチン台におけるキッチン側を向く面とダイニング側を向く面とにそれぞれ設けられている、ことを特徴とする食器洗浄機を備えたキッチン台。
【請求項４】
前記シンクは、浅底部と該浅底部に連設される深底部とを有する段付きシンクであって、前記食器洗浄機は前記浅底部の下方位置に設置されている、ことを特徴とする請求項２または３に記載の食器洗浄機を備えたキッチン台。
【請求項５】
前記食器洗浄機は、前記物品を収容可能な収容箱体を有し、該収容箱体は前記物品の出し入れ口を介して前記キッチン台の内部と外部との間で引き出し自在に設けられている、ことを特徴とする請求項１ないし４のいずれかに記載の食器洗浄機を備えたキッチン台。
【発明の詳細な説明】
【技術分野】
【０００１】
本発明は、室内空間をキッチン側とダイニング側とに仕切るように配置される対面式のキッチン台に係り、特に食器洗浄機を備えたキッチン台に関する。
【背景技術】
【０００２】
従来、室内空間をキッチン側とダイニング側とに仕切るように配置されるとともに、使用済みの食器や調理器を収容して洗浄および乾燥したのちにそのまま保管可能な食器洗い乾燥機（家電機器）を内部に備える対面式のキッチン台において、食器洗い乾燥機を、ダイニング側を向くスペースに向けて引き出せるようにキッチン台内部に設置したものがある（例えば、特許文献１参照）。
【０００３】
また、昇降手段と前開口部と後開口部を備えた食器洗浄機（家電機器）を流し台（キッチン台）の上方の収納キャビネットに設置し、キッチン側及びダイニング側の前後両方から食器洗浄機に食器を出し入れできるものもある（例えば、特許文献２参照）。
【０００４】
【特許文献１】特開２００２−１６５６５３号公報（第３頁、第１図）
【特許文献２】特開２００３−２９０１１３号公報（第４頁、第２図）
【発明の開示】
【発明が解決しようとする課題】
【０００５】
しかしながら、特許文献１に記載のキッチン台にあっては、例えばキッチン側に居る使用者が食器洗い乾燥機（家電機器）に食器を出し入れする際にはダイニング側に周りこむ必要があり、キッチン側の使用者の使い勝手が悪いとともに、キッチン台におけるダイニング側を向く面に近接させてダイニングテーブルを配置すると、食器洗い乾燥機の引き出しの邪魔になってしまうという問題があった。
【０００６】
また、特許文献２に記載の食器洗浄機にあっては、キッチン側及びダイニング側の前後両方から食器洗浄機に食器を出し入れでき、キッチン側及びダイニング側双方からの使い勝手がよいが、流し台（キッチン台）の上方の収納キャビネットに対して昇降自在に配置されるため、設備が大がかりになるとともに、給水管や排水管の配管が複雑になるといった問題があった。また、食器洗浄機をカウンター上に設置すると、調理スペースが占有されてしまう。
【０００７】
本発明は、このような問題点に着目してなされたもので、家電機器のキッチン側及びダイニング側双方からの使い勝手がよく、かつ使用者の邪魔にならないように配置された食器洗浄機を備えたキッチン台を提供することを目的とする。
【課題を解決するための手段】
【０００８】
前記課題を解決するために、本発明の請求項１に記載の食器洗浄機を備えたキッチン台は、
室内空間をキッチン側とダイニング側とに仕切るように配置される対面式のキッチン台であって、
キッチン側に配設したシンクの後方には食器洗浄機が配置されるとともに、該食器洗浄機における物品の出し入れ口が、前記キッチン台におけるキッチン側を向く面とダイニング側を向く面との間に配置される側面に設けられている、ことを特徴としている。
この特徴によれば、キッチン側及びダイニング側のどちら側からでも、使用者がダイニング側からキッチン側またはキッチン側からダイニング側に周り込むことなく、側面に設けられた出し入れ口を介して物品の出し入れを行うことができ、キッチン側またはダイニング側のいずれか一方側からの食器洗浄機の使い勝手が悪くなることがないため、食器洗浄機の使用性が効果的に向上する。また、食器洗浄機によりキッチン側を向く面における食器や調理器等の収納スペースが占有されることがないとともに、ダイニング側を向く面にダイニングテーブル等を近接して配置しても物品の出し入れの邪魔になることがない。
【０００９】
本発明の請求項２に記載の食器洗浄機を備えたキッチン台は、
室内空間をキッチン側とダイニング側とに仕切るように配置される対面式のキッチン台であって、
該キッチン台の側面側に配設したシンクの下方には食器洗浄機が配置されるとともに、該食器洗浄機における物品の出し入れ口が、前記キッチン台のシンクを配設した側面とダイニング側を向く面とが隣接する角部の近傍位置に設けられている、ことを特徴としている。
この特徴によれば、キッチン側及びダイニング側のどちら側からでも、使用者がダイニング側からキッチン側またはキッチン側からダイニング側に周り込むことなく、角部近傍に設けられた出し入れ口を介して物品の出し入れを行うことができ、キッチン側またはダイニング側のいずれか一方側からの食器洗浄機の使い勝手が悪くなることがないため、食器洗浄機の使用性が効果的に向上する。
【００１０】
本発明の請求項３に記載の食器洗浄機を備えたキッチン台は、
室内空間をキッチン側とダイニング側とに仕切るように配置される対面式のキッチン台であって、
該キッチン台に配設したシンクの下方に食器洗浄機が配置されるとともに、該食器洗浄機における物品の出し入れ口が、前記キッチン台におけるキッチン側を向く面とダイニング側を向く面とにそれぞれ設けられている、ことを特徴としている。
この特徴によれば、キッチン側及びダイニング側のどちら側からでも、使用者がダイニング側からキッチン側またはキッチン側からダイニング側に周り込むことなく、それぞれの面に設けられた出し入れ口を介して物品の出し入れを行うことができ、キッチン側またはダイニング側のいずれか一方側からの食器洗浄機の使い勝手が悪くなることがないため、食器洗浄機の使用性が効果的に向上する。またシンクで手洗いした食器類等をシンクから直ぐに直下の食器洗浄機に入れることができ、食器から落ちる滴で天板の上面や床面を汚すこともなくなる。
【００１２】
本発明の請求項４に記載の食器洗浄機を備えたキッチン台は、請求項２または３に記載の食器洗浄機を備えたキッチン台であって、
前記シンクは、浅底部と該浅底部に連設される深底部とを有する段付きシンクであって、前記食器洗浄機は前記浅底部の下方位置に設置されている、ことを特徴としている。
この特徴によれば、食器洗浄機を、シンクの浅底部の下方で、かつ比較的高い位置に配置することができるため、食器類等から落ちる滴でキッチン台上面や床面が汚れることを極力防止できるばかりか、使用者が腰を屈めた姿勢で食器類を出し入れしなくて済む。
【００１３】
本発明の請求項５に記載の食器洗浄機を備えたキッチン台は、請求項１ないし４のいずれかに記載の食器洗浄機を備えたキッチン台であって、
前記食器洗浄機は、前記物品を収容可能な収容箱体を有し、該収容箱体は前記物品の出し入れ口を介して前記キッチン台の内部と外部との間で引き出し自在に設けられている、ことを特徴としている。
この特徴によれば、物品の出し入れ口からキッチン台内部に手を伸ばして、物品をキッチン台内部に収納したり、内部から取り出す必要がないので、食器洗浄機への物品等の出し入れが容易になる。
【発明を実施するための最良の形態】
【００１４】
本発明に係る食器洗浄機を備えたキッチン台を実施するための最良の形態を実施例に基づいて以下に説明する。
【実施例１】
【００１５】
本発明の実施例を図面に基づいて説明すると、先ず図１は、実施例１における食器洗浄機を備えたキッチン台を示す斜視図であり、図２は、実施例１における食器洗浄機を備えたキッチン台を示す平面図である。以下、図２の紙面下方側を食器洗浄機を備えたキッチン台の正面側として説明する。
【００１６】
図１及び図２の符号１ａは、室内空間をキッチン空間Ｋとダイニング空間Ｄとに仕切るように配置される平面視横長の長方形状に構成されたキッチン台を示しており、このキッチン台１ａにおける正面Ｆがキッチン空間Ｋ側に対向するとともに、背面Ｂはダイニング空間Ｄ側に対向するように配置されており、キッチン空間Ｋに居る使用者Ｕ１とダイニング空間Ｄに居る使用者Ｕ２とが対面しながら調理作業を行うことができるようになっている。
【００１７】
図１及び図２に示すように、キッチン台１ａの天板３の上面におけるキッチン空間Ｋ側には、加熱手段としてのガスコンロ４やシンク５が配設されているとともに、正面Ｆには、ガスコンロ４の操作部６や、調理器具や調味料等をキッチン台１ａ内部に収納可能な２段引き出し８や３段引き出し９が設けられている。
【００１８】
キッチン台１ａは、正面Ｆ及び背面Ｂの左右幅寸法が、正面Ｆと背面Ｂとの間に形成される左側面Ｌ及び右側面Ｒの前後幅寸法よりも長寸となる平面視で長方形状に構成されており、左右側面のうち一方の右側面Ｒ側には、使用者Ｕ１，Ｕ２がキッチン空間Ｋとダイニング空間Ｄとを行き来するための通路部（動線）が形成されているとともに、他方の左側面Ｌは壁（図示略）等に当接されている。尚、左側面Ｌ側にも通路部が形成されていてもよい。
【００１９】
このように正面Ｆと背面Ｂとの間に配置される左側面Ｌ及び右側面Ｒは、キッチン空間Ｋ及びダイニング空間Ｄのいずれにも対向しない、つまりキッチン空間Ｋ及びダイニング空間Ｄのいずれにも属さない空間（通路部等）に対向する面であり、正面Ｆや背面Ｂに対して側方に配置されている。
【００２０】
また、キッチン台１ａの内部における前後方向の中央位置には、キッチン台１ａの左側面Ｌ側から蛇口７及び後述する食器洗浄機１０まで延びる給水管１１が配置されているとともに、キッチン台１ａ内に配置される食器洗浄機１０に電力を供給する電気ケーブル（図示略）が配置されている。また、キッチン台１ａの天板３は、前後幅がガスコンロ４やシンク５の前後幅の約２倍の長さを有しており、給水管１１が配置される中央部からダイニング空間Ｄの上面には、料理を盛り付けた食器類（図示略）やダイニング空間Ｄで使用後の食器類（図示略）を載置するスペースが形成されている。
【００２１】
図２に示すように、キッチン台１ａの内部におけるシンク５の後側には、本実施例における家電機器としての食器洗浄機１０が設置されている。この食器洗浄機１０は、上方が開口する有底箱状をなし、食器（物品）を上方から収納可能に構成されるとともに、右側面に、上端部に取手１３を有する板部材１４が取り付けられた収納箱体１２を有しており、該収納箱体１２は、食器洗浄機１０内部に設けられた左右方向を向く摺動レール（図示略）によって水平方向に摺動自在に設けられている。
【００２２】
図１に示すように、右側面Ｒにおけるダイニング空間Ｄ側の上部には、内部に収納された食器洗浄機１０の収納箱体１２の出し入れ口１５が形成されており、該出し入れ口１５から、内部に収納されている収納箱体１２自体を外方に引き出すことができるようになっているとともに、収納箱体１２がキッチン台１ａの内部に収納された状態において、出し入れ口１５が収納箱体１２の板部材１４により閉塞されるようになっており、使用者Ｕ１，Ｕ２は、取手１３を掴んで収納箱体１２を外方に向けて引き出すことで、右側面Ｒの外方で食器の出し入れを行うことができるようになっている。
【００２３】
尚、収納箱体１２が取り付けられた摺動レール（図示略）は所定の摺動抵抗を有しており、収納箱体１２が外方に引き出されると、使用者Ｕ１，Ｕ２が取手１３から手を離しても収納箱体１２は、その開放状態を維持できる。そのため収納箱体１２内部に上方から食器類（図示略）を出し入れし易くなっている。また、収納箱体１２の開放状態を維持するために、引き出された収納箱体１２の移動を阻止するロック機構などを設けてもよい。
【００２４】
図２に示すように、食器洗浄機１０の出し入れ口１５は、キッチン台１ａにおけるキッチン空間Ｋを向く正面Ｆとダイニング空間Ｄを向く背面Ｂとの間に配置される右側面Ｒに設けられていることで、キッチン空間Ｋに居る使用者Ｕ１及びダイニング空間Ｄに居る使用者Ｕ２両者が食器洗浄機１０の出し入れ口１５に対してアプローチする際の条件（距離等）はほぼ同様であるため、使用者Ｕ１，Ｕ２両者は、他方の空間側に回りこむこと等なく、各々の空間に居ながら右側面Ｒ側に移動するだけで食器洗浄機１０を使用することができる。
【００２５】
以上説明したように、本実施例１におけるキッチン台１ａにあっては、使用者はキッチン空間Ｋまたはダイニング空間Ｄ側のどちら側からでも、右側面Ｒの所定箇所に設けられた出し入れ口１５を介して１つの食器洗浄機１０を使用することができるとともに、食器を出し入れ口１５から出し入れする際において、キッチン空間Ｋまたはダイニング空間Ｄの一部の空間を占有することがなく、かつキッチン空間Ｋにいる使用者Ｕ１及びダイニング空間Ｄにいる使用者U２の双方が互いに干渉し合うことなく出し入れを行うことができ、キッチン空間Ｋ側またはダイニング空間Ｄ側のいずれか一方側からの食器洗浄機１０の使い勝手が極端に悪くなることがないため、食器洗浄機１０の使用性が効果的に向上する。
【００２６】
また、ダイニング空間Ｄに居る使用者Ｕ２がキッチン空間Ｋ側に周り込んで食器を食器洗浄機１０に投入したり、キッチン空間Ｋに居る使用者Ｕ１がダイニング空間Ｄ側に周り込んで食器を食器洗浄機１０に投入する必要がないとともに、ダイニング空間Ｄに居る使用者Ｕ２が食器洗浄機１０に投入した食器を、洗浄後においてキッチン空間Ｋに居る使用者Ｕ１が取り出すこともできる。
【００２７】
また、キッチン台１ａのキッチン空間Ｋを向く正面Ｆに家電機器用の出し入れ口１５を設けないことで、正面側Ｆに余裕ができるため食器や調理器等を収容する引き出し８，９等を設ける部位を確保することができ、キッチン台１ａの左右幅を広げることなく収納容量の多い３段引き出し９などもキッチン台１ａの内部に設置できる。更に、キッチン台１ａのダイニング空間Ｄを向く背面Ｂに出し入れ口１５を設けないことで、ダイニングテーブル２等をキッチン台１ａの背面Ｂに近接して配置できるため、室内空間を効率よく利用することができる。
【００２８】
図３及び図４には、本発明の変形例としてのキッチン台１ｂが示されている。尚、キッチン台１ｂにおいて、前記実施例１のキッチン台１ａに示される構成部分と同一構成部分に付いては同一符号を付して重複する説明を省略する。図３は、変形例としての家電機器を備えたキッチン台を示す平面図であり、図４は、図３におけるキッチン台のＡ−Ａ縦断面図である。以下、図３の紙面下方側を家電機器を備えたキッチン台の正面側として説明する。
【００２９】
図３に示すように、変形例におけるキッチン台１ｂは、前記キッチン台１ａに比べて前後幅寸法が短く形成されており、ダイニング空間Ｄに居る使用者Ｕ２が、シンク５に食器等を投入できるようになっている。キッチン台１ｂに設けられたシンク５は、底が浅く形成された浅底部１６と、該浅底部１６から連設され、底が浅底部１６よりも深く形成された深底部１７とを有する左右幅が長いシンク５として形成されている。
【００３０】
図４に示すように、シンク５における浅底部１６の下方位置には食器洗浄機１０が設置されている。この食器洗浄機１０の出し入れ口１５は、キッチン台１ｂにおける通路部に対向するように配置される右側面Ｒに設けられており、収納箱体１２をキッチン台１ｂの右側面Ｒ側に引き出せるようになっている。尚、食器洗浄機１０は所定の上下幅を有しており、シンク５の浅底部１６の下方側に収容されている。このように浅底部１６の下方の空間を利用することで、大きな容積の食器洗浄機１０をキッチン台１ｂの内部に設置できる。
【００３１】
また、図３に示すように、キッチン台１ｂシンク５下方の収容空間を効率よく利用して食器洗浄機１０が設置されているので、シンク５で手洗いした食器類等をシンク５から直ぐに直下の食器洗浄機１０に入れることができ、食器から落ちる滴で天板３の上面や床面を汚すこともなくなる。また、食器洗浄機１０を、シンク５の浅底部１６の下方で、かつ比較的高い位置に配置することができるため、食器類等から落ちる滴で天板３の上面や床面が汚れることを極力防止できるばかりか、使用者が腰を屈めたりすることなく、楽な姿勢で食器類を出し入れすることができる。
【実施例２】
【００３２】
次に、実施例２に係る食器洗浄機を備えたキッチン台につき、図５を参照して説明する。尚、前記実施例に示される構成部分と同一構成部分に付いては同一符号を付して重複する説明を省略する。図５は、実施例２における食器洗浄機を備えたキッチン台を示す平面図である。以下、図５の紙面下方側を食器洗浄機を備えたキッチン台の正面側（前方側）として説明する。
【００３３】
図５に示すように、実施例２におけるキッチン台１ｃは、平面視で略Ｌ字形状を成しており、室内空間をキッチン空間Ｋとダイニング空間Ｄとに仕切るように配置されている。該キッチン台１ｃの正面Ｆ及び右側面Ｒは、キッチン空間Ｋに対向するとともに、キッチン台１ｃの背面Ｂ１，Ｂ２及び左側面Ｌ１，Ｌ２はダイニング空間Ｄに対向するように配置されており、キッチン空間Ｋを向く右側面Ｒの一端部と、ダイニング空間Ｄを向く背面Ｂ１の一端部と、が角部Ｃにて隣接するように構成されている。
【００３４】
また、キッチン台１ｃの天板３における右側面Ｒ側には前後方向を向くシンク５が設けられており、シンク５に設けられる蛇口７などは、キッチン台１ｃの右側面Ｒに立つ使用者Ｕ１が使い易いように、キッチン台１ｃの右側面Ｒ側に向けて配置されている。尚、キッチン台１ｃに設けられたシンク５は、底が浅く形成された浅底部１６と、該浅底部１６に連設され、該浅底部１６よりも底が深く形成された深底部１７とを有する前後幅が長いシンク５として形成されており、右側面Ｒに沿って延びるように配設されている。
【００３５】
図５に示すように、シンク５における浅底部１６の下方位置には食器洗浄機１０が設置されている。この食器洗浄機１０の出し入れ口１５は、キッチン台１ｃの右側面Ｒにおける角部Ｃ近傍に設けられており、収納箱体１２を右側面Ｒ側に引き出せるようになっている。尚、食器洗浄機１０は所定の上下幅を有しており、シンク５の浅底部１６の下方側に収容されている。このように浅底部１６の下方の空間を利用することで、大きな容積の食器洗浄機１０をキッチン台１ｃの内部に設置できる。
【００３６】
本実施例２のように、平面視で略Ｌ字形状を成し、キッチン空間Ｋ側を向く右側面Ｒとダイニング空間Ｄ側を向く背面Ｂ１とが角部Ｃにて隣接するキッチン台１ｃにあっては、背面Ｂ１及び右側面Ｒが互いに隣接する角部Ｃの近傍に食器洗浄機１０の出し入れ口１５が設けられていることで、キッチン空間Ｋに居る使用者Ｕ１及びダイニング空間Ｄに居る使用者Ｕ２両者が食器洗浄機１０の出し入れ口１５に対してアプローチする際の条件（距離等）はほぼ同様であるため、使用者Ｕ１，Ｕ２両者は、他方の空間側に回りこむこと等なく、各々の空間に居ながら角部Ｃ側に移動するだけで食器洗浄機１０を使用することができる。
【００３７】
以上説明したように、本実施例２におけるキッチン台１ｃにあっては、使用者はキッチン空間Ｋまたはダイニング空間Ｄ側のどちら側からでも、右側面Ｒにおける角部Ｃの近傍に設けられた出し入れ口１５を介して１つの食器洗浄機１０を使用することができるとともに、食器を出し入れ口１５から出し入れする際において、キッチン空間Ｋにいる使用者Ｕ１及びダイニング空間Ｄにいる使用者U２の双方が互いに干渉し合うことなく出し入れを行うことができ、キッチン空間Ｋ側またはダイニング空間Ｄ側のいずれか一方側からの食器洗浄機１０の使い勝手が極端に悪くなることがないため、食器洗浄機１０の使用性が効果的に向上する。
【００３８】
また、ダイニング空間Ｄに居る使用者Ｕ２がキッチン空間Ｋ側に周り込んで食器を食器洗浄機１０に投入したり、キッチン空間Ｋに居る使用者Ｕ１がダイニング空間Ｄ側に周り込んで食器を食器洗浄機１０に投入する必要がないとともに、ダイニング空間Ｄに居る使用者Ｕ２が食器洗浄機１０に投入した食器を、洗浄後においてキッチン空間Ｋに居る使用者Ｕ１が取り出すことも容易になる。
【００３９】
尚、本実施例２において、食器洗浄機１０の出し入れ口１５は、キッチン空間Ｋに対向する右側面Ｒにおける角部Ｃの近傍に配置されていたが、本発明にあっては、出し入れ口１５は、キッチン空間Ｋ側を向く面（右側面Ｒ）とダイニング空間Ｄ側を向く面（背面Ｂ１）とが隣接する角部Ｃに近接する位置であればよく、例えば、図５中の２点鎖線に示すように、出し入れ口１５を、ダイニング空間Ｄ側を向く面である背面Ｂ１における角部Ｃの近傍に配置し、ダイニングＤ側に向けて食器洗浄機１０の収納箱体１２を引き出すような構成にしてもよい。
【００４０】
また、本実施例２におけるキッチン台１ｃは、平面視略Ｌ字状に形成されていたが、例えば図５中２点鎖線で示されるように、キッチン台１ｃが平面視長方形状をなし、背面Ｂ３（背面Ｂ１＋背面Ｂ２）がダイニング空間Ｄ側に対向するように配置された場合においても、出し入れ口１５を、背面Ｂ３または右側面Ｒにおける角部Ｃの近傍に配置することで、前述と同様の作用・効果を奏する。
【実施例３】
【００４１】
次に、実施例３に係る食器洗浄機を備えたキッチン台につき、図６を参照して説明する。尚、前記実施例に示される構成部分と同一構成部分に付いては同一符号を付して重複する説明を省略する。図６は、実施例３における食器洗浄機を備えたキッチン台を示す平面図である。以下、図６の紙面下方側を食器洗浄機を備えたキッチン台の正面側として説明する。
【００４２】
図６に示すように、実施例３におけるキッチン台１ｄは、室内空間をキッチン空間Ｋとダイニング空間Ｄとに仕切るように配置される平面視横長の長方形状に構成されており、このキッチン台１ｄにおける正面Ｆがキッチン空間Ｋ側に対向するとともに、背面Ｂがダイニング空間Ｄ側に対向するように配置されており、キッチン空間Ｋに居る使用者Ｕ１とダイニング空間Ｄに居る使用者Ｕ２とが対面しながら調理作業を行うことができるようになっている。
【００４３】
キッチン台１ｄにおける右側には、浅底部１６と深底部１７とを有する左右幅が前後幅よりも長いシンク５が設けられており、キッチン台１ｄ内部におけるシンク５右側の浅底部１６の下方位置には、家電機器としての食器洗浄機１０が設置されているとともに、この食器洗浄機１０の出し入れ口１５は、正面Ｆ及び背面Ｂにおける浅底部１６の対向位置にそれぞれ形成されている。つまり、本実施例における１つの食器洗浄機１０は、キッチン台１ｄの正面Ｆ及び背面Ｂにそれぞれ別個に設けられる２つの出し入れ口１５，１５’を有しており、正面Ｆ及び背面Ｂのうちいずれか一方の出し入れ口１５，１５’から引き出すことができるようになっている。
【００４４】
本実施例３における食器洗浄機１０の収納箱体１２は、特に詳細な構造は図示しないが、食器洗浄機１０の前後に引き出し可能に配置され、出し入れ口１５，１５’をそれぞれ閉塞可能な前後一対の板部材１４，１４’を有し、これらのうち、いずれか一方の板部材１４が外方に引き出されたときには、その板部材１４と収納箱体１２とが連結状態となり、他方の板部材１４’と収納箱体１２とが分離状態となる構成とされている。尚、一方の板部材１４が引き出されたときには、他方の板部材１４’は開放できないようになっている。
【００４５】
このようにキッチン台１ｄの正面Ｆ及び背面Ｂのどちら側にも収納箱体１２を引き出すことができるので、キッチン空間Ｋにいる使用者Ｕ１またはダイニング空間Ｄにいる使用者Ｕ２は、キッチン空間Ｋ側からダイニング空間Ｄ側またはダイニング空間Ｄ側からキッチン空間Ｋ側に周りこむことなく、１つの食器洗浄機１０をキッチン空間Ｋ側またはダイニング側のどちら側からでも使用できる。
【００４６】
また、食器洗浄機１０が少なくとも２つの出し入れ口１５，１５’を有することで、ダイニング空間Ｄに居る使用者Ｕ２が食器洗浄機１０内に投入した使用後の食器類を、洗浄後にキッチン空間Ｋに居る使用者Ｕ１が容易に取り出せるようになる。
【００４７】
以上、本発明の実施例を図面により説明してきたが、具体的な構成はこれら実施例に限られるものではなく、本発明の要旨を逸脱しない範囲における変更や追加があっても本発明に含まれる。
【００４８】
例えば、前記実施例では、キッチン台内に配置される家電機器として食器類を洗浄するための食器洗浄機が用いられていたが、本発明はこれに限定されるものではなく、例えば食品類（物品）を調理する電子レンジやオーブン、食品類（物品）を保存する冷蔵庫等、物品を収納して調理、保存することが可能な、調理に関わる種々の家電機器が含まれる。
【図面の簡単な説明】
【００４９】
【図１】実施例１における食器洗浄機を備えたキッチン台を示す斜視図である。
【図２】実施例１における食器洗浄機を備えたキッチン台を示す平面図である。
【図３】本発明の変形例としての食器洗浄機を備えたキッチン台を示す平面図である。
【図４】図３におけるキッチン台のＡ−Ａ縦断正面図である。
【図５】実施例２における食器洗浄機を備えたキッチン台を示す平面図である。
【図６】実施例３における食器洗浄機を備えたキッチン台を示す平面図である。
【符号の説明】
【００５０】
１ａ，１ｂ，１ｃ，１ｄ  キッチン台
２                ダイニングテーブル
３                天板
４                ガスコンロ
５                シンク
６                操作部
７                蛇口
８                ２段引き出し
９                ３段引き出し
１０              食器洗浄機（家電機器）
１１              給水管
１２              収容箱体
１３              取手
１４              板部材
１５              出し入れ口
１６              浅底部
１７              深底部
Ｂ，Ｂ１〜Ｂ３    背面（ダイニング側を向く面）
Ｄ                ダイニング空間
Ｆ                正面（キッチン側を向く面）
Ｋ                キッチン空間
Ｒ                右側面（側面）
【図１】
0004763433.tif 000002
【図２】
0004763433.tif 000003
【図３】
0004763433.tif 000004
【図４】
0004763433.tif 000005
【図５】
0004763433.tif 000006
【図６】
0004763433.tif 000007